(57)【要約】      （修正有）【課題】電磁流量計のフッ素樹脂ライニングの剥がれを防止するためのパンチプレートに関し、継ぎ目が要因となるライニングの割れや剥がれを防止するパンチプレートを提供する。【解決手段】測定管に挿入される、多孔板を筒状に丸めた電磁流量計用のパンチプレート１１６であって、多孔板の継ぎ目１１６ａが、矩形波状、又は正弦波形状、三角波状であってもよく、継ぎ目の傾向線が、軸方向に対して傾いていてもよい、一直線状ではないことを特徴とする。【選択図】図１
2017049129.tif 000002
【特許請求の範囲】
【請求項１】
多孔板を筒状に丸めた電磁流量計用パンチプレートであって、
前記多孔板の継ぎ目が、一直線状ではないことを特徴とする電磁流量計用パンチプレート。
【請求項２】
前記継ぎ目が、矩形波状であることを特徴とする請求項１に記載の電磁流量計用パンチプレート。
【請求項３】
前記継ぎ目が、正弦波形状であることを特徴とする請求項１に記載の電磁流量計用パンチプレート。
【請求項４】
前記継ぎ目が、三角波状であることを特徴とする請求項１に記載の電磁流量計用パンチプレート。
【請求項５】
前記継ぎ目の傾向線が、軸方向に対して傾いていることを特徴とする請求項１〜４のいずれか１項に記載の電磁流量計用パンチプレート。
【請求項６】
請求項１〜５のいずれか１項に記載の電磁流量計用パンチプレートをライニングに埋め込んだことを特徴とする電磁流量計。
【発明の詳細な説明】
【技術分野】
【０００１】
本発明は、電磁流量計に関し、特に、フッ素樹脂ライニングの剥がれを防止するためのパンチプレートに関する。
【背景技術】
【０００２】
電磁誘導を利用して導電性の流体の流量を計測する電磁流量計は、堅牢で高精度であることから工業的用途等に広く用いられている。電磁流量計は、直交方向に磁場がかけられた測定管内に導電性の被測定流体を流し、発生した起電力を計測する。この起電力は、被測定流体の流速に比例するため、計測された起電力に基づいて被測定流体の体積流量を得ることができる。
【０００３】
電磁流量計では、起電力測定用の電極等が取り付けられた測定管をプラント等に設置された配管に接続して用いられる。図８は、電磁流量計と配管との接続形態を示す図である。
【０００４】
なお、電磁流量計は、接続形態によってフランジ型とウエハ型とに大別される。フランジ型は電磁流量計の測定管に大型のフランジが形成され、配管のフランジとともに測定管のフランジにもボルトを通して配管のフランジと接続する形式である。ウエハ型は電磁流量計の測定管に小型のフランジが形成され、測定管のフランジにはボルトを通さずに配管のフランジと接続する形式である。ここでは、ウエハ型を例に説明する。
【０００５】
図８（ａ）に示すように、電磁流量計３００は、測定管３１０と変換器に接続するための端子箱３２０とを備えており、測定管３１０の両端には小型フランジ部３１１が形成されている。それぞれの小型フランジ部３１１が、接続先の配管に形成された配管側フランジ部４１０に挟まれて接続される。なお、端子箱３２０の替わりに、変換器自体が測定管３１０に取り付けられた一体型の機種もある。
【０００６】
電磁流量計側の小型フランジ部３１１と配管側フランジ部４１０との接続の際には、アースリング３１２とガスケット４５０とを挟んだ状態で、配管側フランジ部４１０同士をボルト４６０とナットで締め付ける。ガスケット４５０は接続箇所の液密性を確保するために用いられるシール部材である。アースリング３１２は、管の大きさに対応した丸い穴の開いた円形の金属板であり、被測定流体のアースとコモン電位との同一化のために用いられる。図８（ｂ）は、電磁流量計３００が配管に取り付けられた状態を示している。
【０００７】
ところで、測定管３１０の内面は、起電力に対する測定管３１０の絶縁性の確保に加え、被測定流体に対する測定管３１０の耐食性、耐摩耗性を確保するためにライニングで覆われている。ライニングの材料は、被測定流体に合わせて選択されるが、例えば、フッ素樹脂（ＰＦＡ、ＰＴＦＥ）、ポリウレタンゴム、軟質天然ゴム等が用いられる。
【０００８】
ライニングの材料として、フッ素樹脂を選択した場合、耐薬品性、耐熱性に優れ、また表面滑度および耐付着性に優れるという特徴を有する一方で、その性質上、単に測定管３１０内を覆っただけでは、管内部や小型フランジ部３１２からライニングが剥がれやすいという問題がある。
【０００９】
このため、ライニングの材料としてフッ素樹脂を用いた場合には、図９に示すように、従来からパンチプレート３１６と呼ばれるライニングの剥がれ防止用の円筒状多孔板が測定管３１０内部に取り付けられている。なお、本図では、パンチプレート３１６の一部領域のみに孔が形成されているように記載されているが、実際には全面にわたって孔が形成されている。他の図面についても同様である。
【００１０】
パンチプレート３１６は、図１０の測定管断面図に示すように、端部が外側に折り返されており、この折り返し部分により、測定管３１０の内壁面との間に隙間が形成される。この隙間にライニング３１４がパンチプレート３１６の孔から入り込むことにより、ライニング３１４の剥がれを防止している。なお、フッ素樹脂のライニング３１４は、溶融樹脂を注入・整形する射出成形法や遠心注型法等で成形することができる。
【先行技術文献】
【特許文献】
【００１１】
【特許文献１】特開２００８−００２８１４号公報
【発明の概要】
【発明が解決しようとする課題】
【００１２】
パンチプレート３１６は、ＳＵＳ製等の多孔板を筒状に丸めて形成するため、図１１に示すように、継ぎ目３１６ａが生じる。この継ぎ目３１６ａは、端点で溶接等されて閉じられるが、継ぎ目３１６ａに沿って隙間が生じる場合がある。
【００１３】
パンチプレート３１６が埋め込まれている領域と、パンチプレート３１６の隙間部分とでは、ライニング３１４の係止力が異なるため、パンチプレート３１６の継ぎ目３１６ａに沿って長い直線上の隙間が生じると、ライニング３１４の係止力の不均一部分が連続し、ライニングの割れや剥がれを誘発するおそれがある。
【００１４】
そこで、本発明は、パンチプレートの継ぎ目が要因となるライニングの割れや剥がれを防止する。
【課題を解決するための手段】
【００１５】
上記課題を解決するため、本発明の電磁流量計用パンチプレートは、多孔板を筒状に丸めた電磁流量計用パンチプレートであって、前記多孔板の継ぎ目が、一直線状ではないことを特徴とする。
ここで、前記継ぎ目が、矩形波状であってもよい。
前記継ぎ目が、正弦波形状であってもよい。
前記継ぎ目が、三角波状であってもよい。
前記継ぎ目の傾向線が、軸方向に対して傾いていてもよい。
上記課題を解決するため、本発明の電磁流量計は、上述の電磁流量計用パンチプレートをライニングに埋め込んだことを特徴とする。
【発明の効果】
【００１６】
本発明によれば、多孔板の継ぎ目が、一直線状ではないため、長い直線上の隙間が生じることがない。このため、パンチプレートの継ぎ目が要因となるライニングの割れや剥がれを防止することができる。
【図面の簡単な説明】
【００１７】
【図１】本発明のパンチプレートの第１実施例を示す図である。
【図２】第１実施例のパンチプレートを形成するための多孔板を示す図である。
【図３】第１実施例のパンチプレートを測定管に挿入する様子を示す図である。
【図４】パンチプレートの第２実施例を示す図である。
【図５】パンチプレートの第３実施例を示す図である。
【図６】パンチプレートの第２実施例の変形例を示す図である。
【図７】パンチプレートの第３実施例の変形例を示す図である。
【図８】電磁流量計と配管との接続形態を示す図である。
【図９】パンチプレートを説明する図である。
【図１０】測定管の断面図である。
【図１１】パンチプレートの継ぎ目を説明する図である。
【発明を実施するための形態】
【００１８】
本発明の実施の形態について図面を参照して説明する。図１は、本発明のパンチプレートの第１実施例を示す図である。本図に示すように、第１実施例のパンチプレート１１６は、継ぎ目１１６ａが矩形波状で双方が噛み合うように形成されている。なお、上述のように、パンチプレート１１６の一部領域のみに孔が形成されているように記載されているが、実際には全面にわたって孔が形成されている。
【００１９】
第１実施例のパンチプレート１１６は、図２に示すような、１組の対辺が互い違いの矩形波状となった多孔板を円筒状に丸めることにより形成することができる。
【００２０】
図３は、第１実施例のパンチプレート１１６を測定管１１０に挿入する様子を示している。パンチプレート１１６は、測定管１１０に挿入後、測定管１１０に溶接等され、ライニングに埋め込まれる。なお、パンチプレート１１６は、ウエハ型のみならずフランジ型の電磁流量計にも用いることができる。
【００２１】
第１実施例のパンチプレート１１６は、継ぎ目１１６ａが矩形波状で双方が噛み合うように形成されているため、継ぎ目１１６ａに沿って長い直線上の隙間が生じることはない。このため、ライニングの係止力の不均一部分が直線的に連続することはなく、ライニングの割れや剥がれを防止することができる。
【００２２】
第１実施例のパンチプレート１１６は、継ぎ目１１６ａが矩形波状で双方が噛み合うように形成されているため、径のサイズ調整を容易に行なうことができるという効果も得られる。また、加工が容易であり、打ち抜きによる製造性も良好である。
【００２３】
図４は、本発明のパンチプレートの第２実施例を示す図である。本図に示すように、第２実施例のパンチプレート１１６は、継ぎ目１１６ａが正弦波形状で双方が噛み合うように形成されている。
【００２４】
第２実施例のパンチプレート１１６は、継ぎ目１１６ａが正弦波形状で双方が噛み合うように形成されているため、継ぎ目１１６ａに沿って長い直線上の隙間が生じることはない。このため、ライニングの係止力の不均一部分が直線的に連続することはなく、ライニングの割れや剥がれを防止することができる。
【００２５】
また、継ぎ目１１６ａに角がないため、ライニングに応力集中が発生しにくく、ライニングの割れや剥がれを一層防止することができる。なお、正弦波形状は数学的な正弦波には限定されず、半円が互い違いに連なった形状であってもよい。
【００２６】
図５は、本発明のパンチプレートの第３実施例を示す図である。本図に示すように、第３実施例のパンチプレート１１６は、継ぎ目１１６ａが三角波状で双方が噛み合うように形成されている。
【００２７】
第３実施例のパンチプレート１１６は、継ぎ目１１６ａが三角波状で双方が噛み合うように形成されているため、継ぎ目１１６ａに沿って長い直線上の隙間が生じることはない。このため、ライニングの係止力の不均一部分が直線的に連続することはなく、ライニングの割れや剥がれを防止することができる。
【００２８】
また、打ち抜きによる製造性が良好であることに加え、多少偏芯していても製造が可能であり、歩留まりを向上させることができる。
【００２９】
図６、図７に示すように、継ぎ目１１６ａは、傾向線ＴＬがパンチプレート１１６の軸方向に対して斜めに傾いて形成されていてもよい。なお、図１に示した矩形波状の継ぎ目１１６ａについても、同様に傾向線が斜めに傾いて形成されていてもよい。また、本発明のパンチプレートは上記実施例の形状に限られず、長い直線上の隙間が生じることのないように一直線状ではない継ぎ目形状であれば足りる。
【符号の説明】
【００３０】
１１０…測定管
１１６…パンチプレート
１１６ａ…継ぎ目
【図１】
2017049129.tif 000003
【図２】
2017049129.tif 000004
【図３】
2017049129.tif 000005
【図４】
2017049129.tif 000006
【図５】
2017049129.tif 000007
【図６】
2017049129.tif 000008
【図７】
2017049129.tif 000009
【図８】
2017049129.tif 000010
【図９】
2017049129.tif 000011
【図１０】
2017049129.tif 000012
【図１１】
2017049129.tif 000013